(57)【要約】【課題】排水マスからの水の跳ね出しを低減することが可能な雨水排水装置を提供すること。【解決手段】本実施の形態の雨水排水装置１０は、流入口１１と、サイフォン誘発部１２と、排水マス７２と、入口配管部７１と、出口配管部７３と、を備える。流入口１１は、雨水が流入する。サイフォン誘発部１２は、流入口１１に配置され、サイフォン現象を誘発する。排水マス７２は、流入口１１に流入した雨水が流れ込む。入口配管部７１は、排水マス７２に接続され、排水マス７２に雨水を導く。出口配管部７３は、排水マス７２から雨水が排出される。入口配管部７１の排水マス７２の外側における管軸Ｂは、出口配管部７３の管軸Ｃよりも上側に配置されている。入口配管部７１は、排水マス７２の内側に配置され、下方に向かって曲げられた構成を有する。【選択図】図７Ａ
2020020173.tif 000002
【特許請求の範囲】
【請求項１】
雨水が流入する流入口と、
前記流入口に配置され、サイフォン現象を誘発するサイフォン誘発部と、
前記流入口に流入した雨水が流れ込む排水マスと、
前記排水マスに接続され、前記排水マスに雨水を導く入口配管部と、
前記排水マスに接続され、前記排水マスから雨水が排出される出口配管部と、
を備え、
前記入口配管部の前記排水マスの外側における管軸は、前記出口配管部の管軸よりも上側に配置されており、
前記入口配管部は、前記排水マスの内側に配置され、下方に向かって曲げられた構成を有する、
雨水排水装置。
【請求項２】
下方への曲げ角度は、側面視において、前記入口配管部の上端の延長線が、前記出口配管部の前記排水マスへの開口の上端以下になるように形成されている、
請求項１に記載の雨水排水装置。
【請求項３】
下方への曲げ角度は、側面視において、前記入口配管部の上端の延長線が、前記出口配管部の前記排水マスへの開口の下端以下になるように形成されている、
請求項１に記載の雨水排水装置。
【請求項４】
前記排水マスは、前記出口配管部の前記排水マスへの開口よりも下側の部分に水溜め部を有し、
下方への曲げ角度は、前記入口配管部の上端の延長線が、前記水溜め部と交わるように形成されている、
請求項１に記載の雨水排水装置。
【請求項５】
前記入口配管部は、
拡径部と、
前記拡径部の上流側に接続された第１配管と、
前記拡径部の下流側に接続され、前記第１配管よりも断面積が大きい第２配管と、を有する、
請求項１〜４のいずれか１項に記載の雨水排水装置。
【請求項６】
１５Ｌ／ｓ以上の設計流量であって、立て方向に沿って配置された立て管部を備え、
前記入口配管部は、前記立て管部の下流側に配置されている、
請求項１〜５のいずれか１項に記載の雨水排水装置。
【請求項７】
前記排水マスを含む複数のマスが、前記立て管部の下流側に設けられている場合、前記複数のマスのうち前記排水マスが、第１番目に前記立て管部に接続されている、
請求項６に記載の雨水排水装置。
【発明の詳細な説明】
【技術分野】
【０００１】
本発明は、雨水を排水するための雨水排水装置に関する。
【背景技術】
【０００２】
従来、サイフォン現象を誘発させることによって雨水の排水効率を向上させる構成が提案されている（例えば、特許文献１参照。）。
【０００３】
例えば、特許文献１に示す構成では、家屋の軒樋の下側に配置されたエルボ継手や配管などによって構成されるサイフォン管によってサイフォン現象が誘発されていた。
【先行技術文献】
【特許文献】
【０００４】
【特許文献１】特許第４１３０６１６号公報
【発明の概要】
【発明が解決しようとする課題】
【０００５】
上記のようにサイフォン現象を利用することにより排水される雨水の量が多くなるが、排水マスへの雨水の排出について何ら考慮されていなかった。すなわち、雨水の排水量が多くなり、排水マスからの水の跳ね出しが発生する場合があった。
【０００６】
本発明は、排水マスからの水の跳ね出しを低減することが可能な雨水排水装置を提供することを目的とする。
【課題を解決するための手段】
【０００７】
上記目的を達成するために、第１の発明にかかる雨水排水装置は、流入口と、サイフォン誘発部と、排水マスと、入口配管部と、出口配管部と、を備える。流入口は、雨水が流入する。サイフォン誘発部は、流入口に配置され、サイフォン現象を誘発する。排水マスは、流入口に流入した雨水が流れ込む。入口配管部は、排水マスに接続され、排水マスに雨水を導く。出口配管部は、排水マスに接続され、排水マスから雨水が排出される。入口配管部の排水マスの外側における管軸は、出口配管部の管軸よりも上側に配置されている。入口配管部は、排水マスの内側に配置され、下方に向かって曲げられた構成を有する。
【０００８】
これにより、サイフォン誘発部によってサイフォン現象が発生し多量の雨水が排水マスに流れ込む場合であっても、入口配管部から排水マスに排出される雨水が少なくとも斜め下方に向かって排出されるため、上方に向かって跳ねる量が減少する。このため、排水マスからの水の跳ね出しを低減することができる。
【０００９】
第２の発明にかかる雨水排水装置は、第１の発明にかかる雨水排水装置であって、下方への曲げ角度は、側面視において、入口配管部の上端の延長線が、出口配管部の排水マスへの開口の上端以下になるように形成されている。
【００１０】
これにより、入口配管部から排出される雨水が出口配管部以下の高さに排出されるため、上方への雨水の跳ね出しを低減することができる。
【００１１】
第３の発明にかかる雨水排水装置は、第１の発明にかかる雨水排水装置であって、下方への曲げ角度は、側面視において、入口配管部の上端の延長線が、出口配管部の排水マスへの開口の下端以下になるように形成されている。
【００１２】
排水マスの出口配管部の下端以下には水が溜まっているため、入口配管部から排水マスに排出される雨水は、排水マスの底面または側面を含む内壁に直接当たらず、溜まっている水によって勢いが緩和される。このため、排水マスからの水の跳ね出しを低減することができる。
【００１３】
第４の発明にかかる雨水排水装置は、第１の発明にかかる雨水排水装置であって、排水マスは、水溜め部を有する。水溜め部は、出口配管部の排水マスへの開口よりも下側の部分に設けられている。下方への曲げ角度は、入口配管部の端部の上端の延長線が、水溜め部と交わるように形成されている。
【００１４】
これにより、入口配管部から排水マスに排出される雨水は、排水マスの底面または側面を含む内壁に直接当たらず、水溜め部の水にあたるため勢いが緩和される。このため、排水マスからの水の跳ね出しを低減することができる。
【００１５】
第５の発明にかかる雨水排水装置は、第１〜４のいずれかの発明にかかる雨水排水装置であって、入口配管部は、拡径部と、第１配管と、第２配管とを有する。第１配管は、拡径部の上流側に接続されている。第２配管は、拡径部の下流側に接続され、第１配管よりも断面積が大きい。
【００１６】
このように排水マスの上流側に拡径部を設けることにより、雨水が減速されるため、排水マスからの雨水の跳ね出しを低減することができる。
【００１７】
この時の拡径部は、同芯インクリーザや偏芯インクリーザ（上端を合わせて配置）が主に用いられるが、偏芯インクリーザが、減速効果が高く好ましく用いられる。
【００１８】
第６の発明にかかる雨水排水装置は、第１〜第５のいずれかの発明にかかる雨水排水装置であって、立て管部を更に備える。立て管部は、１５Ｌ／ｓ以上の設計流量であって、立て方向に沿って配置されている。入口配管部は、立て管部の下流側に配置されている。
【００１９】
このように、１５Ｌ／ｓ以上の設計流量の立て管部に多量の雨水が流れた場合であっても、排水マスからの水の跳ね出しを低減することができる。
【００２０】
第７の発明にかかる雨水排水装置は、第６の発明にかかる雨水排水装置であって、排水マスを含む複数のマスが、立て管部の下流側に設けられている場合、複数のマスのうち排水マスが、第１番目に立て管部に接続されている。
【００２１】
このように、立て管部の下流側に複数のマスが設けられた構成において、立て管部の下流側において一番目に設置されるマスに本発明の排水マスを用いることによって、排水マスからの水の跳ね出しを低減することができる。
【発明の効果】
【００２２】
本発明によれば、排水マスからの水の跳ね出しを低減することが可能な雨水排水装置を提供することができる。
【図面の簡単な説明】
【００２３】
【図１】本発明にかかる実施の形態における雨水排水システムの構成を示す概略図。
【図２】図１の雨水排水システムの平面模式図。
【図３】図１の雨水排水システムにおける流入口近傍の断面図。
【図４】（ａ）図２の排水装置におけるサイフォン誘発部の構成を示す正面図、（ｂ）図３（ａ）のサイフォン誘発部の平面図。
【図５】図１の雨水排水装置の模式図。
【図６】図１の雨水排水装置の模式図。
【図７Ａ】図１の雨水排水装置の排水部の側面模式図。
【図７Ｂ】図１の雨水排水装置の排水部の平面模式図。
【図８Ａ】図１の雨水排水装置の排水部の側面模式図。
【図８Ｂ】図１の雨水排水装置の排水部の平面模式図。
【図９】実施例１〜５および比較例１〜３の結果の表を示す図。
【図１０】実施例３の排水部の構成を示す側面模式図。
【図１１】実施例４の排水部の構成を示す側面模式図。
【図１２】実施例５の排水部の構成を示す側面模式図。
【図１３】比較例１の排水部の構成を示す側面模式図。
【図１４】比較例３の排水部の構成を示す側面模式図。
【図１５】本発明にかかる実施の形態の変形例の排水部の構成を示す側面模式図。
【発明を実施するための形態】
【００２４】
本発明に係る実施の形態における雨水排水装置１０、１０´について図面を参照しながら説明する。
【００２５】
＜１．構成＞
図１は、本実施の形態における雨水排水装置１０、１０´の構成を示す図である。図２は、本実施の形態における雨水排水装置１０、１０´の平面図である。
【００２６】
本実施の形態の雨水排水装置１０、１０´は、図１に示すように、建造物１００に設置された雨水排水システム１の一部を構成する。
【００２７】
建造物１００は、例えば３階建てのビルであって、１階と２階との間、２階と３階との間に、それぞれスラブ１０１が設けられている。
【００２８】
（雨水排水システム１）
雨水排水システム１は、建造物１００の屋上１０５に降った雨水を地面近傍に移動させて下水管に排水する。雨水排水システム１は、図１に示すように、３つの雨水排水装置１０と３つの雨水排水装置１０´と、を備えている。３つの雨水排水装置１０は、建造物１００の側面１０３の近傍に、側面１０３に沿って並んで配置されている。３つの雨水排水装置１０´は、建造物１００の側面１０３に対向する側面１０４の近傍に、側面１０４に沿って並んで配置されている。
【００２９】
なお、詳しくは後述するが、雨水排水装置１０は、雨水排水装置１０´は、排水部の構成が異なっている。
【００３０】
（雨水排水装置１０、１０´）
各々の雨水排水装置１０は、流入口１１と、サイフォン誘発部１２（図３参照）と、立て配管部１３と、横引き配管部１４と、立て配管部１５と、排水部１６と、を有する。また、各々の雨水排水装置１０´は、流入口１１と、サイフォン誘発部１２（図３参照）と、立て配管部１３と、横引き配管部１４と、立て配管部１５と、排水部１６´と、を有する。
【００３１】
（流入口１１）
流入口１１は、屋上１０５に形成された開口であり、屋上１０５に落下した雨水が流入する。
【００３２】
図３は、雨水排水装置１０、１０´の流入口１１および後述するサイフォン誘発部１２を示す側断面図である。
【００３３】
図３に示すように、流入口１１は、屋上１０５に形成された凹部１０２の底面１０２ａに形成されている。
【００３４】
本実施の形態では、３つの雨水排水装置１０の３つの流入口１１は、図１および図２に示すように、屋上１０５の端１０５ａに沿って並んで配置されている。また、３つの雨水排水装置１０´の３つの流入口１１は、屋上１０５の端１０５ａに対向する端１０５ｂに沿って並んで配置されている。すなわち、屋上１０５には、６つの流入口１１が設けられている。
【００３５】
なお、屋上１０５の端１０５ａ、１０５ｂは、端に沿った方向のいずれか一方に向かって傾斜していてもよい。また、屋上１０５は、端１０５ａ、１０５ｂに向かって中央から傾斜していてもよい。
【００３６】
（サイフォン誘発部１２）
サイフォン誘発部１２は、図３に示すように、流入口１１を塞ぐように配置されている。
【００３７】
サイフォン誘発部１２の材質としては、例えば、ＰＥ（ポリエチレン）やＰＰ（ポリプロピレン）などのオレフィン系樹脂、塩ビ樹脂、あるいは、アルミニウム、アルミ合金、ステンレス等の金属等を用いることができる。
【００３８】
樹脂やアルミニウム、アルミニウム合金を用いることにより、軽量かつ低コストで、所望の形状を備えたサイフォン誘発部１２を得ることができる。
【００３９】
図４（ａ）は、サイフォン誘発部１２の平面構成図であり、図４（ｂ）は、図４（ａ）のＡＡ´間の矢示断面図である。
【００４０】
サイフォン誘発部１２は、ベース部４１と、蓋部４２と、整流フィン４３と、を有する。
【００４１】
ベース部４１は、図４（ａ）および図４（ｂ）に示すように、円環状の底面４１ａと、底面４１ａの略中心に形成された雨水を落下させる落とし口４１ｂと、筒状部４１ｃとを有している。そして、落とし口４１ｂは筒状部４１ｃの上端に形成されている。筒状部４１ｃは、立て配管部１３に配置される。
【００４２】
底面４１ａは、図４（ａ）および図４（ｂ）に示すように、略中央部分に落とし口４１ｂが形成された円環状の部材である。そして、円環状の底面４１ａには、落とし口４１ｂを中心に、複数の整流フィン４３が等角度間隔で配置されている。
【００４３】
落とし口４１ｂは、図４（ａ）に示すように、ベース部４１の中心部に形成された貫通穴であって、筒状部４１ｃの内部に形成されている。そして、落とし口４１ｂは、立て配管部１３の上端部に連通しており、サイフォン誘発部１２に対して３６０度方向から流入してきた雨水を、立て配管部１３内へと落下させる。
【００４４】
筒状部４１ｃは、図４（ａ）および図４（ｂ）に示すように、円筒状の部材であって、その上端部において底面４１ａと連結され、底面４１ａから下向きに突出するように形成されている。そして、筒状部４１ｃは、内部に落とし口４１ｂが形成される。
【００４５】
蓋部４２は、図４（ａ）および図４（ｂ）に示すように、ベース部４１の上方に、ベース部４１の中心に形成された落とし口４１ｂと同心円状に配置された円形の板状部材であって、ベース部４１の底面４１ａ上に立設された複数の整流フィン４３によって支持されている。また、蓋部４２は、図４（ｂ）に示すように、ベース部４１（落とし口４１ｂ）の上方に、底面４１ａから所定の隙間Ｇの大きさ（高さ）をあけて配置されている。
【００４６】
複数の整流フィン４３は、図４（ａ）および図４（ｂ）に示すように、落とし口４１ｂに流入する雨水の流れを整えるために、ベース部４１の底面４１ａ上に設けられている。より具体的には、複数の整流フィン４３は、図４（ａ）に示すように、略鉛直方向に沿って配置された板状の部材であって、底面４１ａ上に、落とし口４１ｂを中心とする円の円周上に、等角度間隔で８つ設けられている。
【００４７】
また、８つの整流フィン４３は、それぞれ円環状の底面４１ａにおいて、径方向に沿って配置されている。
【００４８】
これにより、図４（ａ）に示すように、ベース部４１の底面４１ａと蓋部４２との間の隙間Ｇに流入してきた雨水が渦状に浸入してきた場合（図中一点鎖線参照）でも、整流フィン４３によって雨水を整流し、落とし口４１ｂの中心に向かって雨水を誘導することができる。
【００４９】
このため、立て配管部１３内に雨水が渦状に流入して、その中心部に空気柱が形成されることを防止することができる。
【００５０】
この結果、整流フィン４３によって、落とし口４１ｂへ流入していく雨水の中心に空気柱が形成されることを防止することで、立て配管部１３内において生じるサイフォン現象の発生の阻害要因を効果的に排除することができる。
【００５１】
（立て配管部１３）
図５は、雨水排水装置１０の模式構成図である。図６は、雨水排水装置１０´の模式構成図である。
【００５２】
図５および図６に示すように、雨水排水装置１０、１０´における立て配管部１３は、流入口１１から下方に向かって配置されている。立て配管部１３は、図２に示すように、配管２１を有している。配管２１は、ＰＥ（ポリエチレン）製の管状部材であって、図３に示すように、略鉛直方向（上下方向ともいえる）に沿って配置されている。
【００５３】
配管２１の上端（立て配管部１３の上端１３ａともいえる）は、図３に示すように、流入口１１の縁に下方から接続されており、流入口１１に繋がっている。配管２１の下端（立て配管部１３の下端ともいえる）は、横引き配管部１４に繋がっている。
【００５４】
配管２１には、例えば、呼び径が５０Ａ、７５Ａ、１００Ａ、１２５Ａ，１５０Ａ、２００Ａ等の配管が用いられる。内径は、配管の種類ごとに各呼び径において決められている。配管の材料は、本実施の形態では、例えばポリエチレンが用いられているが、これに限られるものではなく、ポリプロピレンなどの他のオレフィンが用いられてもよく、さらに、ポリ塩化ビニルなどが用いられてもよい。
【００５５】
なお、本実施の形態では、立て配管部１３は、一本の配管２１を有しているが、複数の配管２１とそれらの間を繋ぐ継手を有していてもよい。
【００５６】
（横引き配管部１４）
横引き配管部１４は、横方向に沿って配置されており、一端が、立て配管部１３の下端に繋がっている。横引き配管部１４の他端には、後述する立て配管部１５が接続されている。また、図では示していないが、横引き配管部１４は、立て配管部１５側の端が、反対側の端よりも低くなるように若干傾斜して配置されており、立て配管部１３から流れ込む雨水を立て配管部１５に向かって移動させる。
【００５７】
横引き配管部１４は、図５および図６に示すように、横方向に沿って順に配置された、エルボ継手３１と、配管３２と、エルボ継手３３と、を有する。
【００５８】
エルボ継手３１は、立て配管部１３の下端（配管２１の下端ともいえる）に接続されている。配管３２の一端は、立て配管部１３の下端（配管２１の下端ともいえる）にエルボ継手３１によって接続されている。配管３２の他端は、エルボ継手３３に接続されており、エルボ継手３３は、立て配管部１５の上端に接続されている。
【００５９】
なお、配管３２には、例えば、呼び径が５０Ａ、７５Ａ、１００Ａ、１２５Ａ，１５０Ａ、２００Ａ等の配管が用いられる。内径は、配管の種類ごとに各呼び径において決められている。配管の材料は、本実施の形態では、例えばポリエチレンが用いられているが、これに限られるものではなく、ポリプロピレンなどの他のオレフィンが用いられてもよく、さらに、ポリ塩化ビニルなどが用いられてもよい。
【００６０】
本実施の形態の雨水排水装置１０、１０´に用いる配管（配管２１、３２、６１、８１等）にオレフィン系の配管を用いた場合には、エルボ継手３１、エルボ継手３３および後述するエルボ継手６２には、例えばオレフィン製のＥＦ（Electric fusion）継手を用いたほうが好ましい。これらの継手には、電熱線が埋め込まれており、通電することにより、継手内面と配管外面の樹脂を加熱溶融して融着することによって、継手と配管が接合される。なお、本実施の形態の雨水排水装置１０、１０´に用いる配管にオレフィン系以外の例えばポリ塩化ビニル製の配管を用いた場合には、エルボ継手３１、エルボ継手３３および後述するエルボ継手６２として、ポリ塩化ビニル製のものを用いることができる。
【００６１】
（立て配管部１５）
立て配管部１５は、縦方向に沿って配置されており、図５及び図６に示すように、その上端が横引き配管部１４に接続されている。立て配管部１５はスラブ１０１を貫通して配置されている。立て配管部１５は、１５Ｌ／ｓ以上の設計流量となるように構成されている。
【００６２】
立て配管部１５は、図５および図６に示すように、配管６１と、エルボ継手６２と、を有する。配管６１の上端は、エルボ継手３３に接続されている。配管６１の下端は、エルボ継手６２に接続されている。
【００６３】
配管６１は、例えば、呼び径が５０Ａ、７５Ａ、１００Ａ、１２５Ａ，１５０Ａ、２００Ａ等の配管が用いられる。
【００６４】
エルボ継手６２は、配管６１の下端に接続されており、横引きされている配管８１（後述する）と接続されている。
【００６５】
（排水部１６）
図７Ａは、図５の排水部１６近傍を示す側面構成図である。図７Ｂは、図５の排水部１６近傍を示す平面構成図である。
【００６６】
雨水排水装置１０の排水部１６は、横方向に沿って配置され、立て配管部１５のエルボ継手６２に接続されており、雨水を建造物１００の外側に排出する。排水部１６は、入口配管部７１と、排水マス７２と、出口配管部７３と、を有する。
【００６７】
入口配管部７１は、横方向に沿って配置された配管８１と、エルボ配管８２と、を有する。配管８１の一端は、エルボ継手６２に接続されている。エルボ配管８２は、配管８１の他端に取り付けられている。エルボ配管８２は、下方に向かうように約９０度曲げられた配管であり、配管８１の排水マス７２への開口８２ａが、排水マス７２の底面７２ａに対向するように配置されている。側面視において、エルボ配管８２の上端８２ｃ（外周側の端ともいえる）の延長線Ｌが、後述する水溜め部７２ｓに交わるように、エルボ配管８２は下方に向かって曲げられている。また、エルボ配管８２の下端８２ｂ（内周側の端ともいえる）の延長線Ｍも水溜め部７２ｓと交わっている。ここで、エルボ配管８２の上端８２ｃと下端８２ｂは、配管８１側では上端８２ｃの方が下端８２ｂよりも高く配置されているものの、開口８２ａにおいて、高さが同等になるが、本明細書では、上端と下端と呼ぶものとする。
【００６８】
なお、図では示していないが、入口配管部７１は、排水マス７２側の端が、反対側の端よりも低くなるように若干傾斜して配置されており、雨水を排水マス７２に向かって移動させる。
【００６９】
排水マス７２は、配管の詰まりを防止するために設けられている。本実施の形態における排水マス７２は、略直方体形状であり、入口配管部７１が接続されている側面７２ｂと、出口配管部７３が接続されている側面７２ｃと、を有している。側面７２ｂは、側面７２ｃに対向して配置されている。また、側面７２ｂと側面７２ｃは、互いの主面が平行になるように配置されている。
【００７０】
配管８１は、排水マス７２の側面７２ｂを貫通しており、エルボ配管８２は、排水マス７２の内側に配置されている。
【００７１】
出口配管部７３は、排水マス７２から排水された雨水を下水管へと流す。出口配管部７３は、配管８３を有している。配管８３は、横方向に沿って配置されている。なお、図では示していないが、出口配管部７３は、排水マス７２側の端が、反対側の端よりも高くなるように若干傾斜して配置されており、雨水を排水マス７２から下水管（図示せず）に向かって移動させる。配管８３は、側面７２ｂを貫通して、排水マス７２に接続されている。
【００７２】
すなわち、入口配管部７１、排水マス７２および出口配管部７３は横方向に沿って並んで配置されている。入口配管部７１の排水マス７２の外側における管軸Ｂは、出口配管部７３の管軸Ｃよりも上側になるように排水部１６は、構成されている。また、平面視において、図７Ｂに示すように、管軸Ｂは、管軸Ｃと一致するように排水部１６は構成されている。
【００７３】
また、出口配管部７３の配管８３の排水マス７２側の開口８３ａの下端８３ｂから下側の排水マス７２の部分は水が溜まる水溜め部７２ｓとして機能し、ゴミや泥等が溜まる。
【００７４】
これにより、配管８１を通ってエルボ配管８２から排出された雨水は、水溜め部７２ｓに向かって排出されるため、排水マス７２の底面７２ａ、側面７２ｂ、７２ｃ、７２ｄ、７２ｅ等に直接あたらないため、排水マス７２からの雨水の飛び跳ねを低減することができる。側面７２ｄと側面７２ｄは、対向する側面であり、側面７２ｂと側面７２ｃの間に設けられている。
【００７５】
なお、配管８１、エルボ配管８２および配管８３には、例えば、呼び径が５０Ａ、７５Ａ、１００Ａ、１２５Ａ，１５０Ａ、２００Ａ等の配管が用いられる。内径は、配管の種類ごとに各呼び径において決められている。配管の材料は、本実施の形態では、例えばポリエチレンが用いられているが、これに限られるものではなく、ポリプロピレンなどの他のオレフィンが用いられてもよく、さらに、ポリ塩化ビニルなどが用いられてもよい。
【００７６】
また、本実施の形態の排水部１６では、入口配管部７１は、一本の配管８１を有しているが、複数の配管８１とそれらの間を繋ぐ継手を有していてもよい。また、本実施の形態の排水部１６では、出口配管部７３は、一本の配管８３を有しているが、複数の配管８１とそれらの間を繋ぐ継手を有していてもよい。
【００７７】
（排水部１６´）
図８Ａは、図６の排水部１６´近傍を示す側面構成図である。図８Ｂは、図６の排水部１６近傍を示す平面構成図である。
【００７８】
雨水排水装置１０´の排水部１６´は、立て配管部１５のエルボ継手６２に接続されており、雨水を建造物１００の外側に排出する。排水部１６´は、入口配管部７１と、排水マス７２と、出口配管部７３´と、を有する。
【００７９】
入口配管部７１と排水マス７２の構成は、排水部１６と同様のため説明を省略する。
排水部１６´の出口配管部７３´は、配管８３を有する。ここで、排水マス７２の側面７２ｂと側面７２ｃの間の互いに対向する側面を７２ｄ、７２ｅとすると、配管８３は、側面７２ｄに接続されている。
【００８０】
また、入口配管部７１の管軸Ｂは、出口配管部７３´の管軸Ｄよりも上側になるように排水部１６が構成されている。
【００８１】
また、図８Ｂに示すように、配管８３の他端は、隣の雨水排水装置１０´の排水マス７２の側面７２ｅに接続されている。このように、雨水排水装置１０´では、３つの排水マス７２から排出される雨水は１つに集められて、図示しない下水管に繋がっている配管８３（図８Ｂにおいて配管８３ｆと示す）から下水管へと排出される。一方、雨水排水装置１０では、各々の配管８３が下水管に繋がっており、排水マス７２から排出される雨水が下水管に排出される。
【００８２】
このような排水部１６´においても、排水部１６と同様に、配管８１を通ってエルボ配管８２から排出された雨水は、水溜め部７２ｓに向かって排出されるため、排水マス７２の底面７２ａ、側面７２ｂ、７２ｃ等に直接当たらず、排水マス７２からの雨水の飛び跳ねを低減することができる。
【００８３】
なお、本実施の形態の排水部１６´では、出口配管部７３´は、一本の配管８３を有しているが、複数の配管８３とそれらの間を繋ぐ継手を有していてもよい。また、本実施の形態の排水部１６´では、入口配管部７１は、一本の配管８１を有しているが、複数の配管８１とそれらの間を繋ぐ継手を有していてもよい。
【００８４】
＜２．作用＞
雨水排水装置１０、１０´では、建造物１００の屋上１０５に降った雨水が凹部１０２へ流れ込み、流入口１１に配置されたサイフォン誘発部１２を通って配管２１に流れ込む。ここで、サイフォン現象が発生するため、立て配管部１３が満管となり、大量の雨水を排水することができる。
【００８５】
複数の流入口１１から流れ込んだ雨水は、立て配管部１３を落下すると、横引き配管部１４に流れ込み、立て配管部１５に流れ込む。
【００８６】
雨水排水装置１０では、立て配管部１５を落下した雨水は、入口配管部７１を通って、建造物１００の外側へと導かれ、各々の排水マス７２から出口配管部７３を通って下水管へと排出される。
【００８７】
雨水排水装置１０´では、立て配管部１５を落下した雨水は、入口配管部７１を通って、建造物１００の外側へと導かれ、各々の排水マス７２を通って１つの出口配管部７３に集められ、下水管へと排水される。
【００８８】
＜３．実施例＞
次に、実施例を用いて、本発明の雨水排水装置１０、１０´について更に詳しく説明する。
【００８９】
以下の実施例および比較例では、排水部１６におけるエルボ配管８２の曲がりの有無、曲がりの角度の違い、および入口配管部７１における拡径部の有無、拡径サイズの違い、による排水マス７２からの雨水の跳ね出し、溢れの評価を行った。排水マス７２からの跳ね出し、溢れがない場合を問題なし（〇）とし、少し跳ね出しおよび溢れがある場合を許容範囲（△）とし、跳ね出しおよび溢れがある場合を問題あり（×）とした。
【００９０】
図９は、実施例１〜５および比較例１〜３の評価結果の表を示す図である。
（実施例１）
実施例１では、上述した実施の形態の構成の雨水排水装置１０を用いた。雨水排水装置１０における立て配管部１３の長さＬ１（図５参照）を０．６ｍとし、横引き配管部１４の長さＬ２を１．５ｍとし、立て配管部１５の長さＬ３を２１ｍとし、入口配管部７１の立て配管部１５から排水マス７２までの長さＬ４を５ｍとした。また、配管２１、３２、６１、８１の呼び径は７５Ａであり、配管８３の呼び径は１５０Ａとした。
【００９１】
このような構成の雨水排水装置において、流量２０Ｌ／ｓで水を流入口１１から流したところ、排水マス７２から少し跳ね出しおよび溢れがあったが、許容範囲（△）であった。
【００９２】
（実施例２）
実施例２では、実施例１の雨水排水装置１０と比較して、排水部の配管が途中で拡径された点が異なる雨水排水装置を用いた。
【００９３】
実施例２では、上述した雨水排水装置１０において、立て配管部１３の長さを０．６ｍとし、横引き配管部１４の長さを１．５ｍとし、立て配管部１５の長さを２１ｍとし、入口配管部７１の立て配管部１５から排水マス７２までの長さを５ｍとした。また、本実施例２では、排水部１６の代わりに排水部１１６が設けられており、排水部１１６は、排水部１６と異なり、途中で拡径されている入口配管部１７１を有している。図１０は、排水部１１６の構成を示す図である。入口配管部１７１は、エルボ継手６２側から横方向に沿って順に配置された、配管９２と、インクリーザ９３（拡径部の一例）と、配管９４と、エルボ配管８２と、を有する。配管９２の一端は、エルボ継手６２に接続されている。配管９２の他端は、インクリーザ９３に接続されている。インクリーザ９３は、継手であり、径が異なる配管を繋ぐ。配管９４の一端は、インクリーザ９３に接続されており、他端は、エルボ配管８２に接続されている。配管９４は、配管９２よりも径が大きい。
【００９４】
ここで、配管２１、３２、６１、９２の呼び径を７５Ａとし、配管９４の呼び径を１２５Ａとし、配管８３の呼び径を１５０Ａとした。
【００９５】
このような構成の雨水排水装置において、流量２０Ｌ／ｓで水を流入口１１から流したところ、排水マス７２からの跳ね出しがなく、溢れもなく問題なし（〇）であった。
【００９６】
（実施例３）
実施例３では、配管９４の径を１５０Ａとした以外は、実施例２と同様の構成の雨水排水装置１０を用いた。このような構成の雨水排水装置に対して、流量３０Ｌ／ｓで水を流入口１１から流した。その結果、排水マス７２からの跳ね出しがなく、溢れもなく問題なし（〇）であった。
【００９７】
（実施例４）
実施例４では、実施例１の雨水排水装置１０と比較して、エルボ配管８２の曲げ角度を変化させた点が異なる雨水排水装置を用いた。
【００９８】
図１１は、本実施例４におけるエルボ配管２８２が用いられた排水部２１６の構成を示す図である。図１１に示す排水部２１６は、入口配管部２７１と、排水マス７２と、出口配管部７３と、を有している。入口配管部２７１は、配管８１と、エルボ配管２８２と、を有する。エルボ配管２８２は、エルボ配管８２と曲がり角度が異なっている。本実施例４では、図１１に示すように、エルボ配管２８２の曲がり角度は、側面視において、エルボ配管２８２の上端２８２ｃ（外周側の端ともいえる）の延長線Ｌが、出口配管部７３の配管８３の開口８３ａの上端８３ｃに一致している。
【００９９】
このような構成の雨水排水装置において、流量２０Ｌ／ｓで水を流入口１１から流したところ、排水マス７２から少し跳ね出しおよび溢れがあったが、許容範囲（△）であった。
【０１００】
なお、本実施例４では、入口配管部２７１から、少なくとも出口配管部７３の配管８３の開口８３ａの上端８３ｃ以下の高さに向かって雨水が排出されるため、跳ね出しおよび溢れを低減することができる。すなわち、エルボ配管２８２の下方への曲げ角度は、側面視において、入口配管部２７１のエルボ配管２８２の上端２８２ｃの延長線Ｌが、出口配管部７３の配管８３の上端８３ｃ以下になるように形成されていれば、跳ね出しおよび溢れを低減できることがわかる。
【０１０１】
（実施例５）
実施例５では、実施例１の雨水排水装置１０と比較して、エルボ配管８２の曲げ角度を変化させた点が異なる雨水排水装置を用いた。
【０１０２】
図１２、本実施例５おけるエルボ配管３８２が用いられた排水部３１６の構成を示す図である。図１２に示す排水部３１６は、入口配管部３７１と、排水マス７２と、出口配管部７３と、を有している。入口配管部３７１は、配管８１と、エルボ配管３８２と、を有する。エルボ配管３８２は、エルボ配管８２と曲がり角度が異なっている。本実施例５では、図１２に示すように、エルボ配管３８２の曲がり角度は、側面視において、エルボ配管３８２の上端３８２ｃ（外周側の端ともいえる）の延長線Ｌが、出口配管部７３の配管８３の下端８３ｂに一致している。
【０１０３】
このような構成の雨水排水装置において、流量２０Ｌ／ｓで水を流入口１１から流したところ、排水マス７２から少し跳ね出しおよび溢れがあったが、許容範囲（△）であった。
【０１０４】
なお、本実施例５では、入口配管部３７１から、水溜め部７２ｓに向かって雨水が排出されるため、排出された雨水が排水マス７２の内壁に直接当たらず、跳ね出しおよび溢れを低減することができる。すなわち、エルボ配管３８２の下方への曲げ角度は、側面視において、入口配管部３７１のエルボ配管３８２の上端３８２ｃの延長線Ｌ２が、出口配管部７３の配管８３の下端８３ｂ以下になるように形成されていれば、跳ね出しおよび溢れを低減できることがわかる。
【０１０５】
（比較例１）
比較例１では、図１３に示すように、実施例１と比較して、排水部１６の代わりに、エルボ配管８２が設けられていない入口配管部１０７１を有する排水部１０１６を備えた雨水排水装置を用いた。
【０１０６】
このような構成の雨水排水装置において、流量２０Ｌ／ｓで水を流入口１１から流したところ、排水マス７２から跳ね出しおよび溢れが有り、問題があった（×）。
【０１０７】
（比較例２）
比較例２では、比較例１の構成の雨水排水装置において、流量３０Ｌ／ｓで水を流入口１１から流した。その結果、排水マス７２から跳ね出しおよび溢れが有り、問題があった（×）。
【０１０８】
（比較例３）
比較例３では、図１４に示すように、実施例２と比較して、排水部１１６の代わりに、エルボ配管８２が設けられていない入口配管部１１７１を有する排水部１１１６を備えた雨水排水装置を用いた。
【０１０９】
このような構成の雨水排水装置において、流量２０Ｌ／ｓで水を流入口１１から流したところ、排水マス７２から跳ね出しおよび溢れが有り、問題があった（×）。
【０１１０】
＜４．特徴等＞
（１）
本実施の形態の雨水排水装置１０、１０´は、流入口１１と、サイフォン誘発部１２と、排水マス７２と、入口配管部７１、１７１、２７１、３７１と、出口配管部７３、７３´と、を備える。流入口１１は、雨水が流入する。サイフォン誘発部は、流入口に配置され、サイフォン現象を誘発する。排水マス７２は、流入口１１に流入した雨水が流れ込む。入口配管部７１、１７１、２７１、３７１は、排水マス７２に接続され、排水マス７２に雨水を導く。出口配管部７３、７３´は、排水マス７２に接続され、排水マス７２から雨水が排出される。入口配管部７１、１７１、２７１、３７１の排水マス７２の外側における管軸Ｂは、出口配管部７３、７３´の管軸Ｃ、Ｄよりも上側に配置されている。入口配管部７１、１７１、２７１、３７１は、排水マス７２の内側に配置され、下方に向かって曲げられたエルボ配管８２、２８２、３８２（端部の一例）を有する。
【０１１１】
これにより、サイフォン誘発部１２によってサイフォン現象が発生し多量の雨水が排水マス７２に流れ込む場合であっても、入口配管部７１、１７１、２７１、３７１から排水マス７２に排出される雨水が少なくとも斜め下方に向かって排出されるため、上方に向かって跳ねる量が減少する。このため、排水マス７２からの水の跳ね出しを低減することができる。
【０１１２】
（２）
本実施の形態の雨水排水装置１０では、エルボ配管８２、２８２、３８２（端部の一例）の下方への曲げ角度は、側面視において、入口配管部７１、１７１、２７１、３７１のエルボ配管２８２の上端２８２ｃの延長線Ｌが、出口配管部７３の排水マス７２への開口８３ａの上端８３ｃ以下になるように形成されている。
【０１１３】
これにより、入口配管部２７１から排出される雨水が出口配管部７３以下の高さに排出されるため、上方への雨水の跳ね出しを低減することができる。
【０１１４】
（３）
本実施の形態の雨水排水装置１０では、エルボ配管８２、３８２（端部の一例）の下方への曲げ角度は、側面視において、入口配管部７１、１７１、３７１のエルボ配管８２、３８２（端部の一例）の上端８２ｃ、３８２ｃの延長線Ｌが、出口配管部７３の排水マス７２への開口８３ａの下端８３ｂ以下になるように形成されている。
【０１１５】
排水マス７２の出口配管部７３の下８３ｂ端以下には水が溜まっているため、入口配管部７１、１７１、３７１から排水マス７２に排出される雨水は、排水マス７２の底面７２ａまたは側面７２ｂ、７２ｃ、７２ｄ、７２ｅを含む内壁に直接当たらず、溜まっている水によって勢いが緩和される。このため、排水マス７２からの水の跳ね出しを低減することができる。
【０１１６】
（４）
本実施の形態の雨水排水装置１０、１０´では、排水マス７２は、水溜め部７２ｓを有する。水溜め部７２ｓは、出口配管部７３の排水マス７２への開口８３ａよりも下側の部分に設けられている。エルボ配管８２、２８２、３８２（端部の一例）の下方への曲げ角度は、入口配管部７１、１７１、２７２、３７２のエルボ配管８２、２８２、３８２の上端８２ｃ、２８２ｃ、３８２ｃの延長線Ｌが、水溜め部７２ｓと交わるように形成されている。
【０１１７】
これにより、入口配管部７１、１７１、２７１、３７１から排水マス７２に排出される雨水は、排水マス７２の底面７２ａまたは側面７２ｂ、７２ｃ、７２ｄ、７２ｅを含む内壁に直接当たらず、水溜め部７２ｓの水にあたるため勢いが緩和される。このため、排水マス７２からの水の跳ね出しを低減することができる。
【０１１８】
（５）
本実施の形態の雨水排水装置１０では、入口配管部１７１は、インクリーザ９３（拡径部の一例）と、配管９２（第１配管の一例）と、配管９４（第２配管の一例）とを有する。配管９２は、インクリーザ９３の上流側に接続されている。配管９４は、インクリーザ９３の下流側に接続され、配管９２よりも断面積が大きい。
【０１１９】
このように排水マス７２の上流側に拡径部を設けることにより、雨水が減速されるため、排水マス７２からの雨水の跳ね出しを低減することができる。
【０１２０】
（６）
本実施の形態の雨水排水装置１０は、立て配管部１５を更に備える。立て配管部１５は、１５Ｌ／ｓ以上の設計流量であって、立て方向に沿って配置されている。入口配管部７１、１７１、２７２、３７２は、立て配管部１５の下流側に配置されている。
【０１２１】
このように、１５Ｌ／ｓ以上の設計流量の立て配管部１５に多量の雨水が流れた場合であっても、排水マスからの水の跳ね出しを低減することができる。
【０１２２】
（７）
本実施の形態の雨水排水装置１０では、排水マス７２を含む複数のマスが、立て配管部１５の下流側に設けられている場合、複数のマスのうち排水マス７２が、第１番目に立て管部に接続されている。
【０１２３】
立て配管部１５の下流側に複数のマスが設けられた場合、立て配管部１５の下流側において一番目に設置されるマスに最も勢いよく雨水が排出される。このため、一番目のマスに、本実施の形態の排水マス７２を用いることによって、排水マス７２からの水の跳ね出しを低減することができる。
【０１２４】
また、本明細書における「縦方向」とは、厳密な意味でなく、社会通念上縦方向と認識可能な範囲であればよく、傾斜があってもよい。「横方向」とは、厳密な意味でなく、社会通念上横方向と認識可能な範囲であればよく、傾斜があってもよい。
【０１２５】
＜５．他の実施形態＞
以上、本発明の一実施形態について説明したが、本発明は上記実施形態に限定されるものではなく、発明の要旨を逸脱しない範囲で種々の変更が可能である。
【０１２６】
（Ａ）
上記実施の形態の雨水排水装置１０´では、エルボ配管８２の開口８２ａは、排水マス７２の底面７２ａに対向するように設けられているが、図１５に示すように、傾斜したエルボ配管４８２が用いられていてもよい。図１５に示す排水部４１６´では、エルボ配管４８２の上端４８２ｃ（外周側の端ともいえる）の延長線Ｌは、側面７２ｃにおける水溜め部７２ｓの上端と交わっている。これにより、エルボ配管４８２から排出された雨水が排水マス７２の底面４２ａおよび側面４２ｂ、４２ｃ、４２ｄ、４２ｅに直接当たらないため、排水マスからの水の飛び跳ねを抑制することができる。
【０１２７】
なお、エルボ配管８２の曲がり角度は、図１５に示す角度に限られるものではなく、延長線Ｌが水溜め部７２ｓと交わっておりさえすればよい。
【０１２８】
また、エルボ配管４８２の下端４８２ｂ（内周側の端ともいえる）の延長線Ｍも水溜め部７２ｓと交わっているほうが好ましい。
【０１２９】
（Ｂ）
上記実施の形態および実施例の雨水排水装置１０、１０´では、入口配管部７１、１７１、２７１、３７１は、エルボ配管８２、２８２、３８２によって下方に曲げられているが、別部材としてのエルボ配管を用いなくても良く、要するに、入口配管部７１、１７１、２７１、３７１は、排水マス７２の内側において下方に向かって曲げられた構成を有していればよい。
【０１３０】
（Ｃ）
上記実施の形態および実施例の雨水排水装置１０、１０´では、横引き配管部１４、１４´に用いられている配管の全部に、オレフィン製であり、外径と肉厚の比であるＳＤＲ値が１７以上２３以下の配管３４を用いられているが、全部ではなく、一部に用いられていてもよい。
【０１３１】
（Ｄ）
上記実施の形態の雨水排水装置１０、１０´では、排水マス７２は直方体形状であったが、これに限られるものではなく、例えば、円柱形状等であってもよい。
【０１３２】
（Ｅ）
上記実施の形態の雨水排水装置１０´では、出口配管部７３´が、隣の雨水排水装置１０´の排水マス７２に接続されているが、接続されていなくてもよい。
【０１３３】
（Ｆ）
上記実施の形態の雨水排水システム１では、側面１０３側に３つの雨水排水装置１０が配置されており、側面１０４側に３つの雨水排水装置１０´が配置されているが、これに限られるものではなく、例えば、側面１０３側に雨水排水装置１０と雨水排水装置１０´が混合して配置されていてもよい。
【０１３４】
（Ｇ）
上記実施の形態では、１つの雨水排水装置１０には、流入口１１とサイフォン誘発部１２と立て配管部１３の組が１組設けられているが、複数組設けられていてもよい。この場合、複数組の立て配管部１３の下端が横引き配管部１４に接続されており、複数の流入口１１からの雨水が流れ込む。
【０１３５】
（Ｈ）
上記実施の形態では、雨水排水装置１０、１０´は、対向する２つの側面１０３、１０４にのみ設けられているが、４つの側面全ての近傍に設けられていてもよい。
【０１３６】
（Ｉ）
上記実施の形態の雨水排水装置１０では、流路方向に垂直な断面（流路断面）が円形状の配管を用いているが、円形状に限らなくても良く、楕円形状や四角形状等であってもよい。
【０１３７】
（Ｊ）
上記実施の形態の雨水排水装置１０、１０´では、立て配管部１５における配管の内径は同一であるが、立て配管部１５の途中に縮径部が設けられており、立て配管部１５の途中で配管の断面積が小さくなってもよい。これによって、雨水の勢いを低減することができ、立て配管部１５の下端や、排水マス７２における水の衝突音を低減することができる。
【０１３８】
（Ｋ）
上記実施の形態では、雨水排水装置１０は、建造物１００の屋内に配置されているが、これに限られるものではなく、屋外に配置されていてもよい。
【産業上の利用可能性】
【０１３９】
本発明の雨水排水装置によれば、排水マスからの水の跳ね出しを低減することが可能な効果を有し、各種排水装置等として利用可能である。
【符号の説明】
【０１４０】
１０      ：雨水排水装置
１１      ：流入口
１２      ：サイフォン誘発部
７１      ：入口配管部
７２      ：排水マス
７３      ：出口配管部
８２      ：エルボ配管
【図１】
2020020173.tif 000003
【図２】
2020020173.tif 000004
【図３】
2020020173.tif 000005
【図４】
2020020173.tif 000006
【図５】
2020020173.tif 000007
【図６】
2020020173.tif 000008
【図７Ａ】
2020020173.tif 000009
【図７Ｂ】
2020020173.tif 000010
【図８Ａ】
2020020173.tif 000011
【図８Ｂ】
2020020173.tif 000012
【図９】
2020020173.tif 000013
【図１０】
2020020173.tif 000014
【図１１】
2020020173.tif 000015
【図１２】
2020020173.tif 000016
【図１３】
2020020173.tif 000017
【図１４】
2020020173.tif 000018
【図１５】
2020020173.tif 000019